(57)【要約】【課題】本発明はマイクロコンピュータを用いた買い物支援装置に関するものであり、従来、使用者が普段買い物でよく買うものを登録する場合でも、消耗品などはなくなっていることに気づかず買い忘れてしまうといった課題を有していた。【解決手段】入力手段１と、項目リスト記憶手段９と、メモ記憶手段２と、回数カウント手段１０と、表示手段３を構成とし、使用者がよく買うものの一覧を見て買う必要があるかチェックして買い忘れを防止することができる。【選択図】　図１
2004094572.tif 000002
【特許請求の範囲】
【請求項１】
情報を入力する入力手段と、情報を記憶した項目リスト記憶手段と、前記項目リスト記憶手段の内容から選択された情報を記憶するメモ記憶手段と、前記項目リスト記憶手段の内容から選択された情報が前記メモ記憶手段に何回記憶されたのかをカウントする回数カウント手段と、前記回数カウント手段の回数と情報を表示する表示手段とを備えてなる買い物支援装置。
【請求項２】
回数カウント手段のカウント数がｎ回以上（ｎは１以上の整数）の記憶情報のみを表示手段に表示することを特徴とした請求項１記載の買い物支援装置。
【請求項３】
使用者が回数を設定できる入力手段を備え、回数カウント手段のカウント数が前記入力手段で設定された回数以上の記憶情報のみを表示手段に表示することを特徴とした請求項１記載の買い物支援装置。
【請求項４】
情報を入力する入力手段と、情報を記憶した項目リスト記憶手段と、前記項目リスト記憶手段の内容から選択された情報を記憶するメモ記憶手段と、前記項目リスト記憶手段の内容から選択された情報が前記メモ記憶手段に何回記憶されたのかをカウントする回数カウント手段と、前記回数カウント手段の回数と情報を表示する表示手段とを備えてなる買い物支援プログラム。
【請求項５】
回数カウント手段のカウント数がｎ回以上（ｎは１以上の整数）の記憶情報のみを表示手段に表示することを特徴とした請求項１記載の買い物支援プログラム。
【請求項６】
使用者が回数を設定できる入力手段を備え、回数カウント手段のカウント数が前記入力手段で設定された回数以上の記憶情報のみを表示手段に表示することを特徴とした請求項１記載の買い物支援プログラム。
【発明の詳細な説明】
【０００１】
【発明の属する技術分野】
本発明は、買い物に必要な情報を簡単に記憶することが可能な買い物支援装置と買い物支援プログラムに関するものである。
【０００２】
【従来の技術】
従来、買い物支援装置（図４に示すくらし情報電子本）は調理レシピの材料などは簡単に登録でき、また、日常買い物に必要な項目は全て、項目を選択するだけで、買い物メモを作成することができる構成のものであった。構成としては、使用者が作りたいと思う調理レシピの材料を表示したい場合、図１に示す入力手段１の指示により、調理レシピ記憶手段６の第一の記憶手段（材料）７のデータを制御手段５により表示手段３に転送し、表示を行う。
【０００３】
さらに、前記調理レシピの作り方を表示したい場合、入力手段１の指示により、調理レシピ記憶手段６の第二の記憶手段（作り方）８のデータを制御手段５により表示手段３に転送し、表示を行う。
【０００４】
次に、使用者が作りたいと思う調理レシピの材料を買い物メモに記憶したい場合、調理レシピの材料の表示中に、図４における買い物メモキー１１を押下することにより、本当に記憶するかどうかを聞いてくるので、決定キー１３を押下すると、図１における調理レシピ記憶手段６の第一の記憶手段（材料）７のデータを制御手段５によりメモ記憶手段２に転送し、記憶する。
【０００５】
そして、入力手段１により、買い物リストの表示を行う指示が出されると、マイクロコンピュータ４（以下マイコンと称す）内の制御手段５により、項目リスト記憶手段９からデータを転送し、表示手段３に表示される。
【０００６】
次に入力手段１により、買い物リストの選択を行うと、選択された材料や日用品のデータをメモ記憶手段２に転送され、記憶される。また、調理レシピの材料を購入したい場合、材料表示中に入力手段１の指示により、その調理レシピに必要な材料が調理レシピ記憶手段６内の第一の記憶手段（材料）７よりデータが転送され、メモ記憶手段２に記憶される。この場合、前記メモ記憶手段２に同一のデータがあった場合は無視されるが、重量がある場合はその分の重量が加算され、前記メモ記憶手段２に上書きにて記憶される。
【０００７】
以上のように、構成としては使用者が買い物をする場合に事前に買いたい品物を記憶しておき、買い物メモとして一覧表で見ることができる。
【０００８】
【発明が解決しようとする課題】
しかしながら、前記従来の構成では、調理で使用する材料の入力にのみ意識がいってしまい、調理の脇役であるが使い切ってしまいなくなると困ってしまうしょうゆ、塩、こしょう、砂糖などの調味料や普段切らしがちなトイレットペーパー等の消耗品のことまで気が回らず、結局買い忘れてしまう場合がある。
【０００９】
本発明は、前記従来の課題を解決するもので、過去に登録した項目は一覧で表示し、それを使用者が見て買う必要がないのかチェックすることにより買い忘れを防止する買い物支援装置および買い物支援プログラムを提供することを目的とする。
【００１０】
【課題を解決するための手段】
前記従来の課題を解決するために、本発明の買い物支援装置と買い物支援プログラムは、買い物リストの項目を使用者が記憶させた回数が一定以上である過去に記憶した項目を表示する構成としたものである。
【００１１】
これによって、使用者がよく買うものの一覧を見て買う必要がないかチェックして買い忘れを防止することができ、買い物の支援をすることができる。
【００１２】
【発明の実施の形態】
本発明の請求項４〜６にかかるプログラムは、請求項１〜３いずれか１項記載の買い物支援装置の手段の全てもしくは一部をコンピュータに実行させるためのプログラムである。
【００１３】
そして、プログラムであるので汎用コンピュータやサーバーを用いて本発明の買い物支援装置の一部あるいは全てを容易に実現することができる。また記録媒体に記録したり通信回路を用いてプログラムを配信したりすることでプログラムの配布やインストール作業が簡単にできる。
【００１４】
請求項１、４に記載の発明は、情報を入力する入力手段と、情報を記憶した項目リスト記憶手段と、前記項目リスト記憶手段の内容から選択された情報を記憶するメモ記憶手段と、前記項目リスト記憶手段の内容から選択された情報が前記メモ記憶手段に何回記憶されたのかをカウントする回数カウント手段と、前記回数カウント手段の回数と情報を表示する表示手段とを備えることにより、使用者がよく買うものを表示することでそれを買う必要がないかチェックして買い忘れてしまうことを防止することができる。
【００１５】
請求項２、５に記載の発明は、特に、請求項１に記載の回数カウント手段のカウント数がｎ回以上（ｎは１以上の整数）の記憶情報のみを表示手段に表示することにより、使用者が全く記憶させていない情報の表示をカットすることができる。
【００１６】
請求項３、６に記載の発明は、特に、使用者が回数を設定できる入力手段を備え、回数カウント手段のカウント数が前記入力手段で設定された回数以上の記憶情報のみを表示手段に表示することにより、使用者がよく買う物の回数を調整することができる。
【００１７】
【実施例】
以下本発明の実施例について、図面を参照しながら説明する。
【００１８】
（実施例１）
図１は、本発明の第１の実施例における買い物支援装置の図を示すものである。
【００１９】
また、本発明における外観図は、図４に示す。
【００２０】
図１において、メモ記憶手段２と回数カウント手段１０と項目リスト記憶手段９をマイコン４に接続し、マイコン４により各々の記憶手段から転送された情報を表示手段３に転送し、表示可能な構成となっている。
【００２１】
以上のように構成された買い物支援装置について、以下にその動作、作用を説明する。
【００２２】
まず、入力手段１により、項目リスト記憶手段９から転送された買い物リストの選択を行うと、回数カウント手段１０により、選択された買い物リストの項目に対応してそれぞれ回数を＋１される。またマイコン４によって過去に記憶した買い物リストの回数がｎ回以上（ｎは１以上の整数）の項目を判断し、そのデータを表示手段３に転送し、表示する。さらに、選択された材料や日用品のデータをメモ記憶手段２に転送し、記憶する。
【００２３】
なお、お忘れ防止機能としての過去に記憶した買い物リストの表示条件である記憶した回数のしきい値は設定によって使用者が変更させることができる。
【００２４】
また、表示手段としては、液晶、ＬＥＤ、蛍光表示管などがあり、また、ドットマトリクス式を用いることにより、調理レシピ等複雑な表示にも対応可能である。さらに、カラータイプの表示手段により、調理画像などの表示も可能にし、操作性の向上にもつながる。
【００２５】
さらに、メモ記憶手段および項目リスト記憶手段としては、マイコン４の内部ＲＡＭに格納する方法、マイコン４周辺に接続された、外付け用ＲＯＭに格納する方法、不揮発性メモリーに格納する方法、あるいは、着脱可能なカード式の記憶媒体、フロッピーディスク等がある。
【００２６】
さらに、入力手段としては、タッチパネルを用いる方法等もある。
【００２７】
以上のように、本実施例においては、過去に記憶した買い物リストの項目を表示することにより、使用者はよく買う物のリストが確認でき、消耗品などなくなってないかチェックすることにより買い忘れを防止できる。
【００２８】
（実施例２）
図２は、本発明の第２の実施例の買い物支援プログラムのフローチャートである。なお、実施例１と同一符号のものは同一構造を有し、説明は省略する。
【００２９】
まず、入力手段１からの入力信号により、買い物リストから選択された調理レシピの材料や日用品を買い物メモに記憶する場合、ステップＳ１にて、回数カウント手段１０でカウントしている買い物リストの記憶した回数を呼び出し、ステップＳ２で、使用者が設定している回数以上の記憶回数である買い物リストの項目のデータを表示手段３に転送し、ステップＳ３にて表示させる。ステップＳ４にて入力手段１により前記買い物リスト項目を選択した場合、ステップＳ６に移行する。そうでない場合は、ステップＳ５に移行し、項目リスト記憶手段９から調理レシピ等の買いたい品物の一覧を呼び出し、そのデータをマイコン４により表示手段３に転送し、表示を行う。さらに入力手段１により買いたい品物を選択する。するとステップＳ６に移行し、回数カウンタ手段１０により買いたい品物を選択した項目に対応した記憶回数に＋１を行う。そしてステップＳ７にて、買いたい品物の項目をメモ記憶手段２に転送し、記憶する。
【００３０】
なお、これらの処理のステップは、この順番に固定するわけでなく、論理的に同様であれば、プログラムが容易な方式にすればよい。
【００３１】
（実施例３）
図４は、本発明の実施例１〜３における買い物支援装置の外観図である。これを基に本発明の第３の実施例の買い物支援装置の買物メモ作成時の動作を説明する。
【００３２】
まず、電源を投入した状態で買物メモキー１１を押下すると、買物メモを作成・消去・一覧表示するための動作項目リストが表示される。ここで十字キー１２でカーソルを移動させ、「買物メモに追加する」の項目にカーソルを合わせ、決定キー１３を押下すると、図３に示すように過去に記憶した買い物リストの一覧が表示される。これらから選択し買い物メモに追加もできるが、ここで十字キー１２の左キーを押下すると、買物メモに追加するための全体のリストが表示される。そのためにまず初めに大まかな種類の項目が表示される。例えば、「野菜・果物」、「肉・魚」、「日用品：バス／トイレ」の項目などである。再び十字キー１２で「日用品：バス／トイレ」にカーソルを合わせ、決定キー１３を押下すると、バス、トイレ関連の日用品の一覧表が表示される。その中の洗濯のりを選択し、買物メモに登録しようとすると、洗濯のりは３ページ目にあるので、十字キー１２の右キーを２回押して、一覧表示ページを３ページに移動させる。さらに、十字キー１２を使用して洗濯のりにカーソルを合わせ、決定キー１３を押下し、洗濯のりを買物メモに登録する。
【００３３】
買い物が終わり、買物メモの登録内容を全て削除してから、次に買物メモを作成する場合、過去に記憶した買い物リストの一覧表には洗濯のりが追加されており、大まかな種類の項目選択が必要なくなるので操作が簡略化されるとともに使用者が洗濯のりの項目を見て、家にある洗濯のりの残量をチェックすることにより買い忘れ防止にもつながる。
【００３４】
【発明の効果】
以上のように、請求項１〜６に記載の発明によれば、過去に記憶した買い物リストが表示されるので、それを買う必要がないか使用者がチェックすることで買い忘れを防止することができる。また、過去に記憶したことのある買い物リストを記憶させる場合、先に一覧が出て選択するため操作回数が少なくなるので、操作が簡略化される。
【図面の簡単な説明】
【図１】本発明の実施例１における買い物支援装置の構成図
【図２】本発明の実施例２における買い物支援プログラムのフローチャート
【図３】本発明の実施例３における買い物支援装置の買物メモ作成時画面の図
【図４】本発明の実施例１〜３における買い物支援装置の外観図
【符号の説明】
１　入力手段
２　メモ記憶手段
３　表示手段
９　項目リスト記憶手段
１０　回数カウント手段
【図１】
2004094572.tif 000003
【図２】
2004094572.tif 000004
【図３】
2004094572.tif 000005
【図４】
2004094572.tif 000006